(57)【要約】【課題】写真フィルムのコマ画像の画像データを取得するにあたり、傷を目立たなくできるとともに写真処理効率を極力低下させなくてもすむ画像読取装置を提供すること。【解決手段】写真フィルムに形成されているコマ画像の透過画像データを読み取るために、フィルムを照射するハロゲンランプ２と、フィルムに形成されている各コマ画像の可視光による透過画像データを読み取る第１ＣＣＤ９と、各コマ画像の赤外光による透過画像データを読み取る第２ＣＣＤ１０と、第２ＣＣＤ１０により取得された画像データから、フィルムの傷の程度を検出するフィルム欠陥検出部２０と、傷の程度が所定レベル以上の場合に、ハロゲンランプ２と写真フィルムの間の光路中に移動拡散板５を挿入する拡散板制御部２１とを備え、傷の程度が所定レベル以上のコマ画像については、移動拡散板５を挿入した状態で、第１ＣＣＤ９が画像データを取得できるように構成した。【選択図】    図２
2004343319.tif 000002
【特許請求の範囲】
【請求項１】
写真フィルムに形成されているコマ画像の透過画像データを読み取るために、写真フィルムを照射する光源と、
写真フィルムに形成されている各コマ画像の可視光による透過画像データを読み取る第１画像取得部と、
写真フィルムに形成されている各コマ画像の非可視光による透過画像データを読み取る第２画像取得部と、
第２画像取得部により取得された画像データから、写真フィルムの欠陥の程度を検出するフィルム欠陥検出部と、
前記欠陥の程度が所定レベル以上の場合に、欠陥除去手段を作動させるための信号を出力する信号出力部とを備え、
前記欠陥の程度が所定レベル以上のコマ画像については、前記欠陥除去手段を作動させた状態で、前記第１画像取得部が画像データを取得できるように構成したことを特徴とする画像読取装置。
【請求項２】
前記フィルム欠陥検出部は、欠陥画素の分布態様に基づいて欠陥の程度を検出することを特徴とする請求項１に記載の画像読取装置。
【請求項３】
前記フィルム欠陥検出部により、全画素中に含まれる欠陥画素数が所定数以上と判定された場合、前記欠陥除去手段を作動させるための信号を出力するように構成したことを特徴とする請求項２に記載の画像読取装置。
【請求項４】
前記フィルム欠陥検出部により、欠陥画素が所定数以上連続して存在すると判定された場合に、欠陥除去手段を作動させるための信号を出力するように構成したことを特徴とする請求項２に記載の画像読取装置。
【請求項５】
前記欠陥除去手段は、拡散手段であり、欠陥の程度が所定レベル以上の場合に、拡散度の弱い拡散手段を拡散度の強い拡散手段に切り換えるための信号を出力するように構成したことを特徴とする請求項１〜４のいずれか１項に記載の画像読取装置。
【請求項６】
前記欠陥除去手段は拡散手段であり、
拡散手段の挿入に伴う光源の光量バランス変化を補正するための画像補正部を備え、
拡散手段を挿入した場合に、前記第２画像取得部が取得した画像データに対する前記補正を行うようにしたことを特徴とする請求項１〜５のいずれか１項に記載の画像読取装置。
【発明の詳細な説明】
【０００１】
【発明の属する技術分野】
本発明は、写真フィルムに形成されているコマ画像の画像データを読み取るための画像読取装置に関する。
【０００２】
【従来の技術】
現像済み写真フィルムに形成されているコマ画像を読み取り、読み取った画像データに基づいて写真プリント等を作成する写真処理システムが知られている。そのために、写真フィルムのコマ画像を読み取りデジタルデータ化するための画像読取装置が用いられる。この画像読取装置は、ネガフィルム等の写真フィルムがセットされるフィルムキャリアと、写真フィルムを照射するための読み取り用光源と、この光源の光による透過画像を取得するＣＣＤセンサー（画像取得部に相当）とを備えている。かかる場合に、写真フィルムに傷や埃（欠陥）が存在すると、取得した画像データに傷の形も含まれることになるため画質が低下する。そこで、写真フィルムの傷を消したり、目立たなくする技術が知られている（下記特許文献１）。
【０００３】
この先行技術によると、原稿の画像を読み取るための可視光領域の光を原稿面に照射する可視光光源と、原稿（写真フィルム）の傷を検出するための赤外光（非可視光）の光を原稿面に照射する非可視光光源と、原稿面への照射光量を均一にする拡散部材（拡散板）と、非可視光光源による画像読み取りで得られた画像欠陥部検出情報に基づいて画像を補正する。そして、可視光による予備的な画像読み取りに基づき、画像の濃度を検出し、この濃度の大小に基づいて、拡散部材の挿入か、画像の補正（画像処理）かを選択する。拡散部材の挿入により、光学的に傷を目立たないようにできる。また、画像処理による場合は、検出された傷の部分をその周辺の画像情報に基づいて補間することで正しい画像に修正するものである。このように傷を画像から除去する方法として、拡散部材等の拡散手段による方法（欠陥除去手段の１例）と、画像処理による方法（欠陥除去手段の１例）がある。
【０００４】
【特許文献１】
特開２００１−１４４９０８号公報（請求項１，２）
【０００５】
【発明が解決しようとする課題】
上記先行技術における傷を除去する処理のうち、画像処理による方法は、傷消し用に画像処理のためのソフトウェアが必要となるため、そのソフトウェア自身のコストがかかる。また、傷消しのための画像処理に要する時間がかかるため、写真処理全体の処理効率を低下させる原因となる。また、拡散手段を用いた場合は、全体光量が低下してしまうので、画像データの取り込み時間が長くなるという問題がある。このように欠陥除去手段として、画像処理による方法、拡散手段を挿入する方法ともに一長一短がある。したがって、いずれの方法を採用するにしても、写真処理の効率を極力低下させないようにする必要がある。
【０００６】
本発明は上記実情に鑑みてなされたものであり、その課題は、写真フィルムのコマ画像の画像データを取得するにあたり、欠陥を目立たなくできるとともに写真処理効率を極力低下させなくてもすむ画像読取装置を提供することである。
【課題を解決するための手段】
上記課題を解決するため本発明に係る画像読取装置は、
写真フィルムに形成されているコマ画像の透過画像データを読み取るために、写真フィルムを照射する光源と、
写真フィルムに形成されている各コマ画像の可視光による透過画像データを読み取る第１画像取得部と、
写真フィルムに形成されている各コマ画像の非可視光による透過画像データを読み取る第２画像取得部と、
第２画像取得部により取得された画像データから、写真フィルムの欠陥の程度を検出するフィルム欠陥検出部と、
前記欠陥の程度が所定レベル以上の場合に、欠陥除去手段を作動させるための信号を出力する信号出力部とを備え、
前記欠陥の程度が所定レベル以上のコマ画像については、前記欠陥除去手段を作動させた状態で、前記第１画像取得部が画像データを取得できるように構成したことを特徴とするものである。
この構成による画像読取装置の作用・効果は、以下の通りである。第１画像取得部により、可視光による透過画像データを取得する。この画像データは、写真プリント作成等の写真処理のために用いられる。また、第２画像取得部は、非可視光による透過画像データを取得する。この画像データは、写真フィルムに存在する欠陥（傷や埃）を検出するのに用いられる。フィルム欠陥検出部は、第２画像取得部から取得された画像データに基づいて、欠陥の程度を検出する。そして、欠陥の程度が所定レベル以上であるコマ画像については、信号を出力して欠陥除去手段を作動させる（例えば、光路中に拡散板を挿入する。）ようにする。これにより、欠陥が大きいものについては、欠陥除去手段により欠陥を除去することができる。また、欠陥の程度が所定レベル未満である場合は、写真プリントを作成した場合に欠陥がもともと目立たないレベルのものであり、欠陥除去手段による欠陥除去は行わない。このように、必要最小限のレベルで欠陥除去手段を作動させるだけである。その結果、写真フィルムのコマ画像の画像データを取得するにあたり、欠陥を目立たなくできるとともに写真処理効率を極力低下させなくてもすむ画像読取装置を提供することができる。
【０００７】
本発明の好適な実施形態として、前記フィルム欠陥検出部は、欠陥画素の分布態様に基づいて欠陥の程度を検出するものがあげられる。これにより、確実に欠陥の程度を検出することができる。
【０００８】
上記分布態様に基づく実施形態として、前記フィルム欠陥検出部により、全画素中に含まれる欠陥画素数が所定数以上と判定された場合、欠陥除去手段を作動させるための信号を出力するように構成したものがあげられる。
【０００９】
所定数の設定については、仕上がりの写真プリントの大きさ等を考慮して、画質に影響を与えないレベルを所定数にすればよい。これにより、必要なときだけ欠陥除去手段を作動するので、必要以上に写真処理効率を低下させることがない。
【００１０】
上記分布態様に基づく別の好適な実施形態として、前記フィルム欠陥検出部により、欠陥画素が所定数以上連続して存在すると判定された場合に、欠陥除去手段を作動させるための信号を出力するように構成したものがあげられる。
【００１１】
また、欠陥画素が所定数以上連続する場合についても、同様に必要な範囲についてのみ欠陥除去手段を作動することができる。ここで、所定数以上連続する場合とは、例えば、写真フィルム表面上に直線状に存在する傷があげられる。
【００１２】
本発明の更に別の好適な実施形態として、前記欠陥除去手段は、拡散手段であり、欠陥の程度が所定レベル以上の場合に、拡散度の弱い拡散手段を拡散度の強い拡散手段に切り換えるための信号を出力するものがあげられる。
【００１３】
欠陥除去手段としての拡散手段（拡散板等）を挿入する形態として、光路中に拡散手段を新たに挿入する形態、すでに拡散手段が挿入されている状態に対して拡散手段を更に追加して挿入する形態の他に、既に挿入されている拡散手段の弱い拡散手段を拡散度の強い拡散板に切り換えるようにする形態もある。いずれの形態であっても同様の効果を奏する。
【００１４】
本発明の更に別の好適な実施形態として、前記欠陥除去手段は、拡散手段であり、拡散手段の挿入に伴う光源の光量バランス変化を補正するための画像補正部を備え、
拡散手段を挿入した場合に、前記第２画像取得部が取得した画像データに対する補正を行うようにしたものがあげられる。
【００１５】
拡散手段を挿入すると、光源の全体光量の低下や、周辺光量の低下等、光バランスが変わってしまう。したがって、取得した画像データをそのまま用いた場合、オリジナル画像とは異った濃度・階調の写真プリントが作成されてしまう。そこで、拡散手段を挿入した場合には、補正をすることでオリジナル画像を正確に写真プリントに再現することができる。
【００１６】
【発明の実施の形態】
本発明に係る画像読取装置の好適な実施形態を図面を用いて説明する。  図１は、画像読取装置が用いられた写真処理システムの構成を示す模式図である。
【００１７】
＜写真処理システムの構成＞
写真処理システムは、画像読取装置ＡとプリンタプロセッサーＢとから構成される。画像読取装置Ａは、現像済みネガフィルムに形成されているコマ画像を読み取りデジタルデータ化する機能を有する。プリンタプロセッサーＢは、画像読取装置Ａにより読み取られた画像データに基づいて、写真感光材料であるペーパーに画像を焼付露光し写真プリントを作成する。
【００１８】
画像読み取り対象であるネガフィルムＦは、フィルム搬送ユニットであるネガキャリア１にセットされる。ネガキャリア１には、照射光を通過させるための開口部が設けられている。ネガキャリア１には、ネガフィルムＦを搬送させるために搬送ローラ１ａが搬送経路に沿って設けられている。
【００１９】
画像読み取り用光源として、ハロゲンランプ２が設けられている。ハロゲンランプ２からは、可視光だけでなく、非可視光（赤外光）も混在した形で照射される。調光フィルター３は、ハロゲンランプ２から照射される光の色バランスを調整する。調光フィルター３は、ハロゲンランプ２の下方に設けられる。調光フィルター３の下方には、固定拡散板４が設けられ、照射される光を均一な状態にする。固定拡散板４は、常に光路中に挿入されている状態である。移動拡散板５（欠陥除去手段に相当）は、必要に応じて光路内に挿入される拡散板である。後述するが、移動拡散板５は、ネガフィルムＦに存在する欠陥の程度に応じて光路内に挿入される。ミラートンネル６は、調光フィルター３及び拡散板４，５を通過した光を均一に混色する機能を有する。
【００２０】
ネガキャリア１の下方には、結像レンズ７が設けられており、ネガフィルムのコマ画像をＣＣＤの素子上に結像させる機能を有する。ハーフミラー８は、可視光を図１の右側に反射させると共に、赤外光をそのまま透過させる。第１ＣＣＤ９（第１画像取得部に相当する）は、可視光によるネガフィルムの透過画像データを読み取るために設けられる。第２ＣＣＤ１０（第２画像取得部に相当する。）は、赤外光によるネガフィルムの透過画像データを読み取るために設けられる。本実施形態では、読み取り用光源はハロゲンランプ２を１つだけ設けているが、可視光用の光源と赤外光用の光源とを別々に設けるようにしてもよい。また、光源はＬＥＤ素子などハロゲンランプ２以外のものを用いても良い。処理部１１は、取得した画像データに対して種々の処理を行う。処理内容の詳細は、後述する。
【００２１】
なお、画像取得部としてＣＣＤセンサーではなくＭＯＳセンサーを用いても良い。
【００２２】
次に、プリンタプロセッサーＢの構成を説明する。ペーパーマガジン１２には、写真感光材料であるペーパーＰがロールの形態で収容されている。ペーパーカッター１３は、ペーパーマガジン１２から引き出されたペーパーＰをプリントサイズに切断する。露光エンジン１４は、処理部１１から送られてくる画像データに基づいて、ペーパーＰの乳剤面に画像を焼付露光する。露光エンジン１４としては、例えば、レーザーエンジン、ＰＬＺＴエンジン等がある。搬送経路に沿って、多数の搬送ローラ１５が配置されており、ペーパーＰは搬送ローラ１５により搬送される。現像処理部１６は、画像の焼付露光されたペーパーＰの現像処理を行う。現像処理が行われたペーパーＰは、乾燥処理が施され、ペーパー排出部１７から仕上がりの写真プリントが排出される。
【００２３】
写真処理システムの全体を制御するコントローラ３０を備えている。処理部１１において処理された画像データは、コントローラ３０の指令に基づき、露光エンジン１４に転送される。コントローラ３０には、モニター３１とキーボード３２が接続されている。モニター３１には、画像読取装置Ａにより読み取られた画像がモニター画面に表示される。オペレータは、この画面を見ながら処理に必要な種々の作業を行う。キーボード３２やその他のマウス等の入力手段により、写真処理に必要なデータの入力や、各種の指令を与える。
【００２４】
＜画像読取装置の構成＞
次に、図２により画像読取装置の構成をより詳細に説明する。図１で既に説明したが、移動拡散板５が光路内に挿入可能に構成されている。図３は、移動拡散板５の駆動機構を説明する図である。移動拡散板５は、回転プレート５０に支持されている。回転プレート５０には、開口５１が形成されている。回転プレート５０は、回転中心５２の周りに回転可能に支持されている。回転プレート５０は、モータ５３及びベルト５４により回転駆動される。なお、拡散板の形状は、適宜決めることができ、また、拡散板を挿入する形態も本実施形態に限定されるものではない。
【００２５】
次に、フィルム欠陥検出部２０の機能について説明する。フィルム欠陥検出部２０は、ネガフィルムの表面に存在する傷や埃等の欠陥を検出する機能を有する。ネガフィルムの表面に欠陥があると、読み取った画像データには、その欠陥の画像も合わせて読み取られることになる。その結果、得られる写真プリントには欠陥画像も映りこみ、画質も低下することになる。したがって、そのような欠陥情報を除去した形の画像データを取得する必要がある。本発明では、移動拡散板５を用いて欠陥の影響を除去する方法を用いる。ただし、欠陥がある場合に常に移動拡散板５を挿入するのではなく、欠陥の程度が所定レベル以上である場合に、移動拡散板５を挿入する。拡散板による欠陥除去は、画像処理による欠陥除去とは異なり、データ処理時間が余分に発生することがないという利点を有する。ただし、拡散板を光路中に挿入すると、ハロゲンランプ２からの照射光量が低下する。そうすると、ＣＣＤで画像を読み取る場合の、電化蓄積時間が長くなるので、移動拡散板５はできるだけ入れないようにすることが好ましい。そこで、フィルム欠陥検出部２０を設けて、欠陥の程度を検出するようにしている。欠陥が小さなレベル（写真プリントにしても目立たないレベル）であれば、移動拡散板５をあえて挿入しなくてもよい。
【００２６】
フィルム欠陥検出部２０の各機能を説明する。データ処理部２０ａは第２ＣＣＤ１０により取得されたコマ画像の画像信号を受け取って、サンプリング、Ａ／Ｄ変換等の処理を行いデジタルの透過画像データを得る。  この透過画像データは、赤外光による画像データであり、フィルムの欠陥検出をするために取得する。
【００２７】
欠陥画素数演算部２０ｂは、１コマ分の画像データに含まれる欠陥画素数あるいは１コマ分の画像データに含まれる欠陥画素数の割合を演算する。欠陥画素配列検出部２０ｃは、欠陥画素の配列状態を検出する。例えば、連続して欠陥画素がどの程度つながっているか、どの程度の数の欠陥画素が１かたまりになってるのかを検出する。つまり、これらによって、欠陥の程度を検出する。所定レベル記憶部２０ｄには、欠陥の程度を判定するための所定レベル値が記憶されている。この所定レベルは、移動拡散板５を光路に挿入するか否かの判定基準となる。所定レベル値については、キーボード等の入力手段により、適切な値をオペレータが設定することができる。判定出力部２０ｅ（信号出力部に相当）は、検出された欠陥の程度と所定レベルとを比較して、判定信号（欠陥除去手段を作動させるための信号に相当する。）を送出する。
【００２８】
判定信号は、１つは拡散板制御部２１に送られる。拡散板制御部２１は、この判定信号に基づいて、モータ５３を駆動し、光路中に移動拡散板５か開口５１のいずれかを臨ませる。また、判定信号は、処理部１１の画像補正部２２にも送られる。
【００２９】
処理部１１は、第１ＣＣＤ９により取得された可視光による透過画像データに対する色・濃度の補正処理等の種々の処理を行う。この第１ＣＣＤ９による画像データの取得は２段階で行われ、第１段階（プレスキャン）で読み取られる解像度の低い画像データと、第２段階（本スキャン）で読み取られる解像度の高い画像データとがある。第１段階で取得した画像については、モニターに表示させて、適切な色・濃度で写真プリントが作成されるかどうかを判定するために用いられる。第２段階で取得した画像データについては、種々の処理を施した後、露光エンジン１４に転送されて写真プリント作成のために用いられる。
【００３０】
画像補正部２２は、判定出力部２０ｅからの判定信号に基づいて、画像データに対する補正を行う。すなわち、  移動拡散板５を光路中に挿入させる信号が出力された場合は、ハロゲンランプ２からの光量バランスが変わるので、光量バランスを維持できるように補正を行う。つまり、移動拡散板５を挿入すると、全体光量の低下や周辺光量の低下が生じるので、それを電気的に補正する必要がある。そのための補正データは、補正データ格納部２３に予め格納している。補正データは、予めテストプリントを作成する等して求めておくことができる。
【００３１】
次に、フィルム欠陥検出部２０において、フィルム欠陥を検出する場合の判定基準を図４により説明する。図４において、説明を分かりやすくするため、第２ＣＣＤ１０から取得される画像データの１コマ分の画素数を８×１０＝８０画素としている。もちろん、実際の画素数はもっと多い。図４において、欠陥がある部分の画素は、黒く表示している。フィルム表面に傷があると、その傷にあたった光は散乱するので、画像には暗く写る。
【００３２】
図４（ａ）に示す判定基準は、総画素数に含まれる欠陥画素数の割合である。図例では、欠陥画素数＝６、総画素数＝８０であり、その割合は６÷８０×１００＝７．５％となる。この割合が所定以上であれば、移動拡散板５を挿入するように判定信号を送る。なお、割合ではなく、欠陥画素数の絶対数が所定以上であるか否かによって判定しても良い。
（ｂ）は、Ｒ１で示すように欠陥が所定以上並んでいる場合（所定以上連続している場合に相当）に、移動拡散板５を挿入するように判定信号を送る。例えば、欠陥画素が３画素以上連続している場合に、移動拡散板５を挿入する。この判断基準は、（ａ）と組み合わせることもできる。
（ｃ）は、Ｒ２で示すように欠陥画素が２×２画素以上連続する場合（所定以上連続している場合に相当）に、移動拡散板５を挿入するように判定信号を送る。この判断基準も、（ａ）と組み合わせることもできる。以上のように、欠陥の分布態様に基づいて判断することができる。
【００３３】
上記判定基準による判定は、フィルム欠陥検出部２０の機能に基づくものであり、自動的に行われる。なお、第２ＣＣＤ１０により取得した赤外光の画像をモニター３１に映し出して、オペレータによる確認を行っても良い。
【００３４】
＜作動説明＞
次に、画像読取装置Ａの作動について、図５のフローチャートにより簡単に説明する。まず、ネガキャリア１にネガフィルムをセットする（＃０１）。次に、画像データを取り込む（＃０２）。画像データは、第１ＣＣＤ９からの画像データと、第２ＣＣＤ１０からの画像データとがある。第１ＣＣＤ９により読み取られた画像データは、モニター３１に表示され、オペレータは、この画像を見ながら色・濃度の補正などを行うか否かを判断する。必要に応じて、色・濃度の補正データなどを入力する。また、その他の写真処理に必要なデータ（プリント枚数等）の入力も行う。
【００３５】
一方、第２ＣＣＤ１０からの画像データに基づいて、フィルム欠陥検出部２０により欠陥の判定を行う（＃０３）。図４で説明したいずれかのケースに該当する場合は、欠陥を除去する処理として移動拡散板５を挿入する必要性があるので、挿入するか否かのデータを保存する（＃０４）。このデータは、各コマ単位で保存するので、移動拡散板５を挿入するか否かの制御は、コマ単位で行われる。
【００３６】
次に、同じネガフィルムについて、精度の高い画像データの取り込みを行う。取り込みを行う前に、先ほど保存した判定結果のデータに基づいて、移動拡散板５を挿入するか否かを判断する（＃０５）。これは各コマ単位で行われる。移動拡散板５を挿入の必要がある場合は、モータ５３を駆動して移動拡散板５を挿入する。ただし、前のコマで既に挿入している状態であれば、この動作は不要である。また、移動拡散板５を挿入する必要がなければ、移動拡散板５を光路から退避させて開口５１を光路に臨ませる。ただし、前のコマですでに退避させている状態であれば、この動作は不要である。
【００３７】
以上のように移動拡散板５の挿入の可否を設定し、画像データを取り込む（＃０７、＃１１）。また、移動拡散板５を挿入した状態で画像データを取り込んだ場合は、光量バランスを補正するため画像データの補正処理を行う（＃０８）。また、移動拡散板５を挿入しなかった場合は、かかる補正処理は行わない。以下、各画像データは露光エンジン１４に転送されて、プリント処理が行われる（＃０９）。
【００３８】
＜別実施形態＞
（１）本実施形態では、固定拡散板４と移動拡散板５の２つを設け、移動拡散板５のみを挿脱するようにしているが、移動拡散板５のみを設け、これを光路内に挿脱するようにしてもよい。回転プレート５０には、１種類の拡散板のみが設けられているが、拡散度の異なる２種類以上の拡散板を搭載しても良い。２種類以上の拡散板を設ける場合でも、固定拡散板を設けておいてよい。
【００３９】
（２）拡散度の異なる拡散板を２種類以上挿入させるようにする場合、光量バランスを補正するための補正データも、夫々に応じて複数設けるようにすることが好ましい。
（３）本実施形態では、移動拡散板５の挿入を自動的に行うようにしている。これに換えて、マニュアル操作により移動拡散板５を挿入するようにしても良い。この場合、移動拡散板５を挿入すべきコマ画像のプリント処理を行う前に、オペレータに対して注意を喚起するような表示をさせるようにすることが好ましい。例えば、モニター画面にて視覚的に注意を喚起できる。
【００４０】
（４）本実施形態では、写真フィルムから取得した画像データを写真プリントの作成のために使用しているが、これに限定されるものではなく、ＣＤ−Ｒ，ＭＯ，ＤＶＤ等の記録媒体に書き込む処理を行う場合にも、本発明は応用できるものである。
【００４１】
（５）本実施形態では、拡散板の挿入による欠陥除去を説明したが、これに限定されるものではない。例えば、フィルム欠陥判定の結果に応じて、画像処理（欠陥除去手段）を行うか否かを決めても良い。この場合も、必要な範囲で画像処理を行うので、いたずらに処理効率を低下させることがない。また、拡散板の挿入と画像処理とを組み合わせてもよい。例えば、拡散板の挿入では欠陥を除去しきれないような場合は、拡散板の挿入に換えて、あるいは、拡散板の挿入と合わせて、画像処理を行うようにしてもよい。これにより、欠陥の程度が大きい場合でも確実に欠陥を除去することができ、しかも、いたずらに処理効率を低下させることがない。
【００４２】
（６）本実施形態では、拡散手段として拡散板を例示している。しかし、拡散手段は、図示された形状等に限定されるものではなく、種々の構成のものを採用することができる。
【図面の簡単な説明】
【図１】画像読取装置が用いられた写真プリント作成システムの構成を示す模式図
【図２】画像読取装置の構成を示す機能ブロック図
【図３】拡散板挿入の判定基準を説明する図
【図４】フィルム欠陥を検出する場合の判定基準を示す図
【図５】画像読取装置の作動を説明するフローチャート
【符号の説明】
２        ハロゲンランプ
４        固定拡散板
５        移動拡散板
９        第１ＣＣＤ
１０      第２ＣＣＤ
２０      フィルム欠陥検出部
２０ａ    データ処理部
２０ｂ    欠陥画素数演算部
２０ｃ    欠陥画素配列検出部
２０ｄ    所定レベル記憶部
２０ｅ    判定出力部
２１      拡散板制御部
２２      画像補正部
２３      補正データ格納部
５０      回転プレート
５１      開口
Ａ        画像読取装置
Ｆ        ネガフィルム
【図１】
2004343319.tif 000003
【図２】
2004343319.tif 000004
【図３】
2004343319.tif 000005
【図４】
2004343319.tif 000006
【図５】
2004343319.tif 000007